(57)【要約】【課題】メール読み上げ機能を有した電話機において、メール送信者の音声で、メールを読み上げる。【解決手段】メール読み上げ機能を有した電話機であって、当該電話機は、電話番号とメールアドレスとを対応づけて記憶した電話帳と、通話中において電話回線を通じて相手音声の特徴データを求め、特徴データに基いた音声データを前記電話帳の該当する電話番号、メールアドレスと紐付きにする紐付き処理手段と、メールを受信した場合、発信側メールアドレスから電話帳において紐付きされている音声データを検索する検索手段と、音声データが検索されると、受信メールを当該音声データに基いて定められる音声で読み上げる読み上げ手段とを備えている。【選択図】図５
2004304625.tif 000002
【特許請求の範囲】
【請求項１】
メール読み上げ機能を有した電話機において、
電話番号とメールアドレスとを対応づけて記憶している電話帳と、
通話中において回線を通じて相手音声の特徴データを求め、特徴データに基いた音声データを前記電話帳の該当する電話番号、メールアドレスと紐付きにする紐付き処理手段と、
メールを受信した場合、発信側メールアドレスから電話帳において紐付きされている音声データを検索する検索手段と、
音声データが検索されると、受信メールを当該音声データに基いて定められる音声で読み上げる読み上げ手段と、
を備えていることを特徴とする電話機。
【請求項２】
前記紐付き処理手段は、着信時に電話帳を検索して相手電話番号が電話帳において音声データと紐付きされているか否かを判定する手段と、紐付きされていないと判断した場合、相手音声の特徴データを収集する処理を開始する手段と、を含むことを特徴とする請求項１記載の電話機。
【発明の詳細な説明】
【０００１】
【発明の属する技術分野】
本発明は、メール読み上げ機能を有した電話機、特に携帯電話機に関する。
【０００２】
【従来の技術】
ｉモ−ド対応の携帯電話機において、目の不自由な人用としてメール読み上げ機能を有したものがある。この種の携帯電話機は、メールを受信すると、操作により音声でメールのタイトルと本文とを読み上げるものである。ただ、メール読み上げに用いられる音声として、特定の擬音に固定すると、繰り返し使用していると、耳障りとなり、それが読み上げ機能付き電話機の普及を妨げる要因ともなるので、特許文献１に見られるように、発信者の音声でメールを読み上げるようにする技術が提案されている。
【０００３】
【特許文献１】
特開平１１−３８９９６号公報
【０００４】
【発明が解決しようとする課題】
しかしながら、上記の技術は、発信者の音声を登録する方法として、音声データ付きメールを受信して行なう方法と、発信者が受信者の携帯電話機のマイクに直接音声入力する方法とのいずれかを採るようにしているため、発信者の多くがその音声を受信者の携帯電話に登録することが出来ないという難点がある。即ち、音声データ付きメールを利用する方法であると、音声データ付きメールが特殊な機能であるので、そのような電話機を携帯している者は少なく、登録できる発信者に限りがあるし、一方、受信者の電話機のマイクを通じて入力するとなると、地理的遠方の人は、登録することが困難である。
【０００５】
本発明は、このような点に鑑み、受信者と通話する相手は悉く、手軽に音声登録できる極めて汎用性の高い電話機を提供することを目的とする。
【０００６】
【課題を解決する手段】
上記目的を達成するため、本発明は、メール読み上げ機能を有した電話機において、電話番号とメールアドレスとを対応づけて記憶している電話帳と、通話中において電話回線を通じて相手音声の特徴データを求め、特徴データに基いた音声データを前記電話帳の該当する電話番号、メールアドレスと紐付きにする紐付き処理手段と、メールを受信した場合、発信側メールアドレスから電話帳において紐付きされている音声データを検索する検索手段と、音声データが検索されると、受信メールを当該音声データに基いて定められる音声で読み上げる読み上げ手段と、を備えていることを特徴としている。
【０００７】
【実施の形態】
以下、本発明の一実施の形態を図面に従って説明する。
＜全体構造＞
図１は、携帯電話機の概略構成を示す側面断面図である。図に示すように、携帯電話機１０は折畳型であって、第１筐体１１と第２筐体１２とが図外の連結体により折畳可能に接続されている。
【０００８】
第１筐体１１には、レシーバ１３、リンガ１４、及び表示部１５を備え、第２筐体１２には、状態検出スイッチ１６、振動モータ１７、操作部１８、及びマイク１９を備える。
レシーバ１３は、通話音声の出力や、録音メッセージの再生に使用される。リンガ１４は、着信報知音を含む報知用の音声を発生する。表示部１５は、カラー液晶パネル、ＤＭＤ（デジタル・ミラー・デバイス）、有機ＥＬパネル、又はＰＤＰ（プラズマ・ディスプレイ・パネル）などで実現され、現在時刻、バッテリ残量、電波強度等を示す状態情報、発信者電話番号、メール内容、各種設定内容等を表示する。
【０００９】
状態検出スイッチ１６は、携帯電話機１０が折畳状態にあるか展開状態にあるかを検出する。振動モータ１７は、報知用の振動を発生させる。操作部１８は、図２に見られるように、テンキー１８ａ、ＯＦＦフックキー１８ｂ、ＯＮフックキー１８ｃの他に、フレキシブルキー１８ｄ、メニュー／ＯＫキー１８ｅ、４接点キー１８ｆ、クリアキー１８ｇ等を含み、電話番号や文字、メール本文及び各種設定の入力に使用される。
【００１０】
例えば、メニュー／ＯＫキー１８ｅを操作すると、携帯電話機で設定できる全ての機能（電話帳、メール、ｉモード、画面設定、情報の表示等）の一覧を表示部１５に表示し、４接点キー１８ｆにより所望の機能を選択して、更にその機能の実行へと進むことができる。この４接点キー１８ｆの中の例えば「上側」キーは、受信者として通話中に、発信者の音声データを収集する場合に操作することができる。音声データの収集については後で詳述する。
【００１１】
クリアキー１８ｇは、表示部に表示している内容を一つ前の状態画面に戻す。
マイク１９は、通話音声や音声コマンドの入力に使用される。
＜機能構成＞
図３は、携帯電話機１０の機能構成を示すブロック図である。
携帯電話機１０は、レシーバ１３、リンガ１４、表示部１５、状態検出スイッチ１６、振動モータ１７、操作部１８、マイク１９、アンテナ２０、送受信部２１、変復調部２２、音声処理部２３、制御部３０から構成される。
【００１２】
図１に示した各構成部品に対応する機能ブロックについては、図１と同一の符号を付して説明を省略する。
送受信部２１は、フィルタ、増幅器などからなる回路であって、アンテナ２０を介し、外部に対して通信データの送信及び受信を行う。通信データとしては、音声データの他に電子メールなどに含まれる文字データ及び通信制御に用いられる制御データからなる。
【００１３】
変復調部２２は、送信するデータの変調、受信データの復調を行う。そして復調したデータに音声データが含まれる場合には、音声データを抽出し、音声処理部２３に出力する。残りのデータは、制御データ、文字データを含み、これらは制御部３０に出力する。
音声処理部２３は、通常の音声再生処理を行う。
【００１４】
制御部３０は、マイクロプロセッサ３１と、ＲＯＭ３２、ＲＡＭ３３などを有し、ＲＯＭ３２に格納された制御プログラムにしたがって、マイクロプロセッサ３１が、待ち受け中に制御チャンネルを通じて基地局と行う通信、着信検出、着信があったときの処理、発信処理、各種モード設定、電池の残量検出等々、携帯電話機として必要な処理を行う他、受信側として通話中に、発信者の音声データの収集、蓄積処理、並びに受信メールの読み上げ処理を行う。
【００１５】
図４は、制御部３０が行う音声データの収集、蓄積、受信メールの読み上げ処理を説明するブロック図で、声質分析部３１、声質変換部３２、テキスト解析部３３、音声合成部３４、メモリ３５（ＲＡＭ３３内に確保されている。）からなる。声質分析部３１は音声信号のピッチ抽出とスペクトル包絡を算出する機能部であり、声質変換部３２は、合成単位パラメータ時系列を変形して、音声の個人適応化を実現する機能部、テキスト解析部３３は、メール本文のテキストデータを解析し、音声合成単位の結合規則を算出する機能部、音声合成部３４は、声質変換部３２とテキスト解析部３３とから得るデータで駆動され、発信者の音声でメールを読み上げる機能部である。これら各機能部の処理は、後のフローチャートでも説明するが、特開２００１−３４２８０号公報に詳しい。
【００１６】
図５は、制御部３０が行う処理のうち着信処理を示している。着信するデータには、電話呼び出し信号とメール着信を示す信号とがあるが、何れかを問わず着信があると、処理を開始する（Ｓ１）。そして、着信したデータが呼び出し信号であるか、メール着信を知らせる信号であるか判断し（Ｓ２）、呼び出し信号の場合には、通話・パラメータ登録サブルーチン（Ｓ３）をコールして、図６の処理を実行するし、他方、メール着信信号の場合には、メール受信サブルーチン（Ｓ４）をコールして、図８の処理を実行する。
【００１７】
図６を参照して、着信信号が、呼び出し信号であった場合には、リンガまたは振動モータ若しくは両方を駆動し、利用者に電話の着信を報知する（Ｓ１１）とともに、呼び出し信号の間に送られてくる発信者電話番号を取得する（Ｓ１２）。利用者が着信を認識し、オフフックキーを操作すると（Ｓ１３）、リンガ音または振動モータ若しくは両方の駆動を停止して（Ｓ１４）、通話処理に入る（Ｓ１５）。通話処理は、発信者と受信者が電話回線を通じて双方向で通話できることを保障する通常の送受信処理である。
【００１８】
この通話を開始すると同時に、ＲＡＭ３３内に記憶している電話帳（図９参照）を検索し（Ｓ１６）、ステップＳ１２で取得した発信者電話番号と同一番号の行を見、音声データが既に格納されているかどうかを検出する（Ｓ１７）。
電話帳は、図９に示すように、電話番号、氏名、メールアドレス、音声データ登録済か否か、登録済の場合はそれの格納場所の各項目を書き込む欄が準備されている。従来の電話帳は、上記項目中、音声データに関する欄を含まないが、本実施例で用いる電話帳は、音声データの登録済みか否かと既登録の場合にそれの格納場所を書き込む欄が用意されている。
【００１９】
ステップＳ１７において、該当電話番号がなかったり、あっても音声データが未登録であった場合には、音声登録処理（Ｓ１８）に進む。音声データがすでに登録されていたら、通話終了を待って（Ｓ１９）、回線を切断する（Ｓ２０）。
図７は、音声登録処理を示すサブルーチンである。このサブルーチンがコールされると、まず、表示部１５に、「通話中の発信者の音声は登録されていません。登録しますか？」といったメッセージを流す（Ｓ２１）。このメッセージを見た通話者（受信者）が、発信者の同意を得た上で、例えば、４接点キーの「上側」キーを操作すると（Ｓ２２）、ＲＡＭ内にあらかじめ記憶されている音声ガイダンスを起動し、相手電話機に送信する（Ｓ２４）。音声ガイダンスとしては、「今から貴方の音声データの収集をします。これから指示する母音、単語を発音してください。」といったメッセージである。この後、発信者から送られてくる発音信号は、メモリに記録され（Ｓ２５）、声質分析部３１が、録音した音声信号をフレーム分割して、音響分析し、ピッチを抽出する（Ｓ２６）。ピッチ抽出法としては、ケプストラム分析によりスペクトルの包絡と微細構造を分離して求める。続いて、音声信号のスペクトル包絡を算出する（Ｓ２７）。スペクトル包絡の算出方法としては、参照用の単語音声データとのマッチングを行い、基本母音区間を特定する。そしてケプストラム分析により、微細構造を分離する。なお、ステップＳ２６、２７の処理は、「陽  長盛：母音の不変性と個人性  音響学会講演論文集  １９９７−３」に記載されている。
【００２０】
ガイダンスにしたがって全ての単語、母音の発音を終了すると（Ｓ２８）、収集したデータ（ピッチ、スペクトル包絡）を登録する（Ｓ２９）。この登録は、まず、メモリ３５内にあらかじめ設けられている声質データ格納場所に収集したデータを格納し、電話帳の発信者電話番号と同一の番号欄に、音声データ登録済みの記録と格納場所を書き込むことにより行う。
【００２１】
ステップＳ２２において、４接点キーの操作がなされず、例えばクリアキーが操作された場合は、録音が不要である指示と判断し（Ｓ２３）、サブルーチンを終了する。
図８は、メールを受信した場合の処理を示している。メールを受信すると（Ｓ３１）、表示部１５に受信した旨の表示をする（Ｓ３２）。利用者は表示を見て、メール内容を表示させたいときは、例えば４接点キーの「上側」キーを押す（Ｓ３３）。すると、表示部１５にメール内容が表示される（Ｓ３４）。
【００２２】
他方、４接点キーの「下側」キーを押すと、メールの読み上げ処理が開始する。すなわち、電話帳を検索して、受信メールのアドレスメールが記載されている行を見、音声データが格納済みかどうかを検出し（Ｓ３５）、格納されていれば、その声質データを選択する（Ｓ３７）。そして、声質変換部３２が、声質データ中のピッチとスペクトル包絡とから、あらかじめメモリに格納されている音声合成パラメータ時系列を変形し、個人適応化を図る。これと並行して、テキスト解析部３３で、メール本文のテキストデータを解析し音声合成単位の結合規則を算出する。声質変換部３２で得た情報と、テキスト解析部３３で算出された情報を用いて音声合成部３４が音声合成し、受話スピーカを駆動し、メールの読み上げを行う（Ｓ３８）。
【００２３】
ステップＳ３５において、音声データが格納されていないと判断された場合には、予め用意されている機械音声データを選択し（Ｓ３６）、メール読み上げを行う。
ここで、ステップＳ３５において、発信者の音声データが存在しないことが判明した場合は、機械音声で代読させる代わりに、「音声メッセージがありませんので、メール本文をディスプレイに表示します。」といったメッセージを流し、ディスプレイにメールを表示するといった処理に置き換えることも可能である。
【００２４】
なお、上記実施例では、発信者の音声でメールを読み上げる方法を採るが、これ以外にたとえば、あらかじめメモリに、代表的な声質データ、あるいは多くの人から採取した広範な声質データを格納しておき、発信者との通話時に発信者の音声をサンプリングし、ＬＰＣ分析などによって声質の特徴分析を行い、これとメモリに格納されている声質データを比較して、近似した声質データを選択して電話番号、メールアドレスと紐付きし、その声質データでメール読み上げに用いるといった方法をとることもできる。近似した声質データを選択する方法は、音声認識技術において用いられているＤＰ法、あるいはＳＰＬＩＴ法などが利用できる。
【００２５】
このように、近似した音声を選択する方法であると、通話時に、実施例のような別途の音声収集手順を踏む必要がなく、会話している際に、音声のサンプリングし、特徴量の抽出が行える。しかも、電話帳への登録は、比較の結果得られる近似データの格納場所を記録するだけで足る。
【００２６】
【発明の効果】
以上説明したように本発明は、メール読み上げ機能を有した電話機において、
電話番号とメールアドレスとを対応づけて記憶している電話帳と、通話中において電話回線を通じて相手音声の特徴データを求め、特徴データに基いた音声データを前記電話帳の該当する電話番号、メールアドレスと紐付きにする紐付き処理手段と、メールを受信した場合、発信側メールアドレスから電話帳において紐付きされている音声データを検索する検索手段と、音声データが検索されると、受信メールを当該音声データに基いて定められる音声で読み上げる読み上げ手段とを備えているものであるので、次のような効果がある。
【００２７】
相手音声データを通話中に電話回線を通じて求めるので、特殊な携帯電話を所持する必要が無く、また、地理的遠近に関係なく、音声登録することが出来、発信者の音声、若しくはそれに近似した音声でのメール読み上げ機能を有するものでありながら、汎用性のある電話機を提供することが出来るといった効果がある。
【図面の簡単な説明】
【図１】本発明の一実施の形態を示す携帯電話機の概略側面断面図、
【図２】携帯電話機の操作部のキー群を示す図、
【図３】携帯電話機の回路ブロック図、
【図４】制御部の機能を示すブロック図、
【図５】着信時の処理を示すフローチャート、
【図６】電話着信時の動作を制御するフローチャート、
【図７】音声データを収集する処理を示すフローチャート、
【図８】メール着信時の処理を示すフローチャート、
【図９】電話帳を示す図である。
【符号の説明】
１０    携帯電話機
１１    第１筐体
１２    第２筐体
１３    レシーバ
１４    リンガ
１５    表示部
１６    状態検出スイッチ
１７    振動モータ
１８    操作部
１８ａ  テンキー
１８ｂ  オフフックキー
１８ｃ  オンフックキー
１８ｄ  フレキシブルキー
１８ｅ  メニュー／ＯＫキー
１８ｆ  ４接点キー
１８ｇ  クリアキー
１９    マイク
２０    アンテナ
２１    送受信部
２３    音声処理部
３０    制御部
３１    ＣＰＵ
３２    ＲＯＭ
３３    ＲＡＭ
【図１】
2004304625.tif 000003
【図２】
2004304625.tif 000004
【図３】
2004304625.tif 000005
【図４】
2004304625.tif 000006
【図５】
2004304625.tif 000007
【図６】
2004304625.tif 000008
【図７】
2004304625.tif 000009
【図８】
2004304625.tif 000010
【図９】
2004304625.tif 000011